(57)【要約】      （修正有）【課題】外部からの熱が、バッテリー側面やバッテリー液に伝導することを抑制できる、断熱性が改良されたバッテリーカバーを提供する。【解決手段】バッテリーカバー１は、バッテリーの四方の側面を覆う側壁２（左壁５、右壁６、前壁７および後壁８）と、側壁２の上部に設けられ、バッテリーと側壁２との間に空間を設けるための第１スペーサー３とを備える。【選択図】図１
2014213678.tif 000002
【特許請求の範囲】
【請求項１】
バッテリーの四方の側面を覆う側壁と、
前記側壁の上部に設けられ、前記バッテリーと前記側壁との間に空間を設けるための第１スペーサーと
を備えることを特徴とする、バッテリーカバー。
【請求項２】
第２スペーサーが、前記側壁に上下方向に沿って設けられていることを特徴とする、請求項１に記載のバッテリーカバー。  
【請求項３】
前記第２スペーサーが、前記バッテリーカバーが前記バッテリーに装着されたときに前記バッテリーの前記側面の隅に接触するように、前記側壁に設けられていることを特徴とする、請求項２に記載のバッテリーカバー。
【請求項４】
前記第２スペーサーが、少なくとも４つ設けられ、
少なくとも４つの前記第２スペーサーは、前記バッテリーの前記側面の４つの隅のそれぞれに接触するように、前記側壁に設けられていることを特徴とする、請求項３に記載のバッテリーカバー。
【請求項５】
前記側壁には、少なくとも４つの折り畳み部が互いに間隔を隔てて設けられていることを特徴とする、請求項１〜４のいずれか１項に記載のバッテリーカバー。
【請求項６】
各前記折り畳み部が、２つの折り曲げ部を備えていることを特徴とする、請求項５に記載のバッテリーカバー。
【請求項７】
外気を前記空間に取り込む外気取込機構を、さらに備えることを特徴とする、請求項１〜６のいずれか１項に記載のバッテリーカバー。
【請求項８】
前記外気取込機構が、前記空間の内外を連通する開口部と、前記開口部を開閉するフラップとを備えることを特徴とする、請求項７に記載のバッテリーカバー。
【請求項９】
前記外気取込機構が、前記空間の内外を連通する開口部を少なくとも２つ備えることを特徴とする、請求項７に記載のバッテリーカバー。
【請求項１０】
少なくとも２つの前記開口部は、前記側壁および／または前記第１スペーサーに設けられ、前記開口部の少なくとも１つが、吸気口であり、前記開口部の少なくとも１つが、排気口であることを特徴とする、請求項９に記載のバッテリーカバー。
【請求項１１】
伸縮部が、前記バッテリーカバーが前記バッテリーに装着されたときに前記バッテリーの前記側面の隅と接触するように、設けられていることを特徴とする、請求項１〜１０のいずれか１項に記載のバッテリーカバー。
【請求項１２】
前記側壁が、断熱材から形成されていることを特徴とする、請求項１〜１１のいずれか１項に記載のバッテリーカバー。
【請求項１３】
前記側壁が、発泡層と、前記発泡層の両面に積層されている表皮とを備えることを特徴とする、請求項１〜１２のいずれか１項に記載のバッテリーカバー。
【発明の詳細な説明】
【技術分野】
【０００１】
本発明は、バッテリーカバー、詳しくは、車両用バッテリーを熱から保護するために使用されるバッテリーカバーに関する。
【背景技術】
【０００２】
車両用バッテリーは、一般的に、エンジンルーム内にエンジンとともに設置されている。車両用バッテリーでは、エンジンからの熱などによりバッテリーの表面が熱せられ、バッテリー内部にあるバッテリー液が高温に上昇する。その結果、バッテリーの寿命が減少する。
【０００３】
そこで、バッテリーを熱から保護するために、バッテリーの側面を被覆するバッテリーカバーが提案されている（例えば、特許文献１参照）。
【０００４】
特許文献１には、側壁部を外壁と内壁とからなる二重壁構造とし、外壁と内壁との間に中空密閉空間を形成したバッテリーカバーが開示されている。
【先行技術文献】
【特許文献】
【０００５】
【特許文献１】特開平８−２３４９号公報
【発明の概要】
【発明が解決しようとする課題】
【０００６】
しかしながら、引用文献１に記載のバッテリーカバーを使用すると、その内壁全面がバッテリーの側面と密着する。一方、バッテリー内部の下部には、バッテリー液が充満されている。
【０００７】
そのため、外部からの熱によって、バッテリー上部の露出表面が熱せられると、その熱は、バッテリーカバーの内壁を通じて、バッテリーの側面全体に広がり、バッテリー液へと伝導するため、外部からの熱に対してバッテリーが十分に保護されていないという不具合がある。そのため、外部からの熱が、バッテリー側面やバッテリー液に伝導することを抑制できる断熱性について、さらなる改良が求められている。
【０００８】
そこで、本発明の目的は、断熱性が改良されたバッテリーカバーを提供することにある。
【課題を解決するための手段】
【０００９】
上記目的を達成するために、本発明のバッテリーカバーは、バッテリーの四方の側面を覆う側壁と、前記側壁の上部に設けられ、前記バッテリーと前記側壁との間に空間を設けるための第１スペーサーとを備えることを特徴とする。
【００１０】
このような構成によれば、バッテリーの側面と、バッテリーカバーとの間に、空間（空気層）が生じる。そのため、外部からバッテリーカバーの側壁に伝導した熱が、バッテリーカバーを通じてバッテリー側面に直接伝導しない。その結果、バッテリーカバーは、断熱性に優れ、バッテリーを外部の熱から効果的に保護することができる。
【００１１】
また、本発明のバッテリーカバーでは、第２スペーサーが、前記側壁に上下方向に沿って設けられていることが好適である。
【００１２】
このような構成によれば、第２スペーサーが、上下方向に沿ってバッテリーの側面に接触するため、バッテリーカバーの側壁とバッテリーの側面との間の空間を保持することができる。
【００１３】
また、本発明のバッテリーカバーでは、前記第２スペーサーが、前記バッテリーカバーが前記バッテリーに装着されたときに前記バッテリーの前記側面の隅に接触するように、前記側壁に設けられていることが好適である。
【００１４】
このような構成によれば、バッテリーの側面の隅は、その強度が高いため、より確実にバッテリーカバーをバッテリーに装着することができる。
【００１５】
また、本発明のバッテリーカバーでは、前記第２スペーサーが、少なくとも４つ設けられ、少なくとも４つの前記第２スペーサーは、前記バッテリーの前記側面の４つの隅のそれぞれに接触するように、前記側壁に設けられていることが好適である。
【００１６】
このような構成によれば、バッテリーの四隅に、第２スペーサーが接触するため、より確実にバッテリーカバーをバッテリーに装着することができながら、バッテリーカバーの側壁とバッテリーの側面との間の空間を保持することができる。
【００１７】
また、本発明のバッテリーカバーでは、前記側壁には、少なくとも４つの折り畳み部が互いに間隔を隔てて設けられていることが好適である。
【００１８】
このような構成によれば、バッテリーカバーを折り畳むことができ、コンパクトに持ち運び、保管することができる。
【００１９】
また、本発明のバッテリーカバーでは、各前記折り畳み部が、２つの折り曲げ部を備えていることが好適である。
【００２０】
このような構成によれば、バッテリーカバーをバッテリーに装着する際に、バッテリーカバーの隅に２つの角を形成することができる。その結果、バッテリーの側面の隅に、バッテリーカバーの隅を接触させることにより、バッテリーカバーの側壁とバッテリーの側面との間に空間を確実に形成することができる。
【００２１】
また、このような構成によれば、バッテリーカバーを折り畳んだ際に、折り畳み部で対向する第１スペーサー同士が接触して生じる応力を緩和することができる。その結果、バッテリーカバーを折り畳んで保管する際に、第１スペーサーの破損を低減することができる。
【００２２】
また、本発明のバッテリーカバーは、外気を前記空間に取り込む外気取込機構を、さらに備えることが好適である。
【００２３】
この構成によれば、新鮮な空気を、バッテリーの側面とバッテリーカバーとの間の空間内に取り込むことができる。その結果、バッテリーを速やかに冷やすことができる。
【００２４】
また、本発明のバッテリーカバーでは、前記外気取込機構が、前記空間の内外を連通する開口部と、前記開口部を開閉するフラップとを備えることが好適である。
【００２５】
このような構成によれば、フラップの適宜の開動作により開口部から空気を空間内に取り込むことができる。その結果、バッテリーを確実に冷やすことができる。
【００２６】
また、本発明のバッテリーカバーでは、前記外気取込機構が、前記空間の内外を連通する開口部を少なくとも２つ備えることが好適である。
【００２７】
このような構成によれば、いずれか１つの開口部から新鮮な空気を空間内に取り込むことができるとともに、他の開口部から空間の内部の空気を外部に排気することができる。その結果、バッテリーを確実に冷やすことができる。
【００２８】
また、本発明のバッテリーカバーでは、少なくとも２つの前記開口部は、前記側壁および／または前記第１スペーサーに設けられ、前記開口部の少なくとも１つが、吸気口であり、前記開口部の少なくとも１つが、排気口であることが好適である。
【００２９】
このような構成によれば、新鮮な空気を、吸気口から取り込み、排気口から排気できるので、空間内に、新鮮な空気の通過パスを形成することができる。その結果、バッテリーをより効率的に冷却することができる。
【００３０】
また、本発明のバッテリーカバーには、伸縮部が、前記バッテリーカバーが前記バッテリーに装着されたときに前記バッテリーの前記側面の隅と接触するように、設けられていることが好適である。
【００３１】
このような構成によれば、バッテリーカバーをバッテリーに装着するときに、バッテリーの側面の隅に対応して伸縮部が伸びるので、バッテリーカバーをバッテリーに容易に装着することができる。
【００３２】
また、本発明のバッテリーカバーでは、前記側壁が、断熱材から形成されていることが好適である。
【００３３】
このような構成によれば、バッテリーカバーの断熱性がより一層向上する。そのため、バッテリーを熱から保護することができる。
【００３４】
また、本発明のバッテリーカバーでは、前記側壁が、発泡層と、前記発泡層の両面に積層されている表皮とを備えることが好適である。
【００３５】
このような構成によれば、バッテリーカバーの断熱性がより一層向上する。そのため、バッテリーを熱からより一層保護することができる。
【発明の効果】
【００３６】
本発明のバッテリーカバーは、断熱性に優れている。そのため、バッテリーを外部の熱から効果的に保護することができる。
【図面の簡単な説明】
【００３７】
【図１】図１は、本発明のバッテリーカバーの第１実施形態の斜視図を示す。
【図２】図２は、図１に示すバッテリーカバーの展開図を示す。
【図３】図３は、図２の断面図であり、（ａ）は、Ａ−Ａにおける断面図を示し、（ｂ）は、Ｂ−Ｂにおける断面図を示す。
【図４】図４は、図１のバッテリーカバーをバッテリーに装着した状態の斜視図を示す。
【図５】図５は、図４のＣ−Ｃにおける側断面図を示す。
【図６】図６は、図４のＤ−Ｄにおける平断面図を示す。
【図７】図７は、図１のバッテリーカバーを折り畳んだ状態の一形態であり、（ａ）は、側面図を示し、（ｂ）は、平面図を示す。
【図８】図８は、図１のバッテリーカバーを折り畳んだ状態の他の形態であり、（ａ）は、側面図を示し、（ｂ）は、平面図を示す。
【図９】図９は、本発明のバッテリーカバーの第２実施形態の斜視図を示す。
【図１０】図１０は、図９の側断面図であり、（ａ）は、フラップの閉状態を示し、（ｂ）は、フラップの開状態を示す。
【図１１】図１１は、本発明のバッテリーカバーの第３実施形態を、バッテリーに装着した状態の側断面図を示す。
【図１２】図１２は、本発明のバッテリーカバーの第４実施形態を、バッテリーに装着した状態の側断面図を示す。
【図１３】図１３は、本発明のバッテリーカバーの第５実施形態を、バッテリーに装着した状態の側断面図を示す。
【図１４】図１４は、本発明のバッテリーカバーの部分拡大図を示し、（ａ）は、第６実施形態を示し、（ｂ）は、第７実施形態を示す。
【図１５】図１５は、本発明のバッテリーカバーの第９実施形態の斜視図および部分拡大図を示す。
【図１６】図１６は、本発明のバッテリーカバーの第１０実施形態の側断面図を示す。
【図１７】図１７は、本発明のバッテリーカバーの第１１実施形態の側断面図を示す。
【図１８】図１８は、本発明のバッテリーカバーの第１２実施形態の側断面図を示す。
【図１９】図１９は、本発明のバッテリーカバーの第１３実施形態の斜視図を示す。
【発明を実施するための形態】
【００３８】
図１、図４、図９、図１５および図１９において、以下で説明する方向は、各図に示す方向矢印記載の通りである。図５、図６および図１０〜１３における方向も、図１に示す方向に準拠する。また、図２における方向は、紙面上側が上側であり、紙面下側が下側であり、紙面左方向は、バッテリーカバーの長手方向一方向であり、紙面右方向は、バッテリーカバーの長手方向他方向であり、紙面手前方向は、バッテリーカバーの内側方向であり、紙面手前は、バッテリーカバーの外側方向である。図３、図７、図８、図１４および図１６〜１８における方向も、図２に示す方向に準拠する。
【００３９】
＜第１実施形態＞
１．バッテリーカバー
第１実施形態において、バッテリーカバー１は、図１が参照されるように、上下方向に延びる角筒形状であり、平面視略矩形枠形状に形成されている。バッテリーカバー１は、複数（４つ）の側壁２と、各側壁２を連結する複数（４つ)の連結部２３と、側壁２および連結部２３の内側面の上端に設けられる第１スペーサー３と、側壁２および連結部２３の内側面の下端に設けられる第３スペーサー４（図２および図３を参照）とを備えている。
【００４０】
４つの側壁２は、左右方向に互いに間隔を隔てて対向配置される左壁５および右壁６と、前後方向に互いに間隔を隔てて対向配置される前壁７および後壁８とを備えている。
【００４１】
４つの連結部２３は、左壁５と前壁７とを連結する左前連結部９と、左壁５と後壁８とを連結する左後連結部１０と、右壁６と前壁７とを連結する右前連結部１１と、右壁６と後壁８とを連結する右後連結部１２とを備えている。
【００４２】
図２の展開図が参照されるように、側壁２および連結部２３は、周方向（長手方向）に長尺な略矩形状に形成されている。側壁２および連結部２３のそれぞれの上端部および下端部には、肉薄部（後述）が形成され、中央部には、断熱性を有する肉厚部（後述）が形成されている。上端部の肉薄部には、第１スペーサー３が設けられ、下端部の肉薄部には、第３スペーサー４が設けられている。
【００４３】
また、各連結部２３は、上下方向に沿って設けられる第２スペーサー（後述）と、その第２スペーサーの両側に設けられる２つの折り曲げ部（後述）とを備えている。
【００４４】
各連結部２３において、互いに隣接する側壁２のうち一方の側壁２は、一方の折り曲げ部（後述）を介して第２スペーサー（後述）に連結され、他方の側壁２は、他方の折り曲げ部を介して第２スペーサーに連結されている。
【００４５】
具体的には、図２が参照されるように、左壁５は、上下方向長さが長手方向長さより長い側面視略矩形状に形成されている。
【００４６】
左壁５は、左肉厚部５ａと、左上肉薄部５ｂ、左下肉薄部５ｃとを一体的に備えている。
【００４７】
左肉厚部５ａは、左壁５の上下方向略中央に、側面視略矩形状に形成されている。左肉厚部５ａは、図３（ａ）に参照されるように、内側に向かって膨出している。左肉厚部５ａの厚みＬ１（内側面から外側面までの距離）は、左上肉薄部５ｂおよび左下肉薄部５ｃの厚みよりも大きくなるように形成されている。
【００４８】
左上肉薄部５ｂは、図２の破線および図３（ａ）で示されるように、左肉厚部５ａの上側に隣接して形成されている。左上肉薄部５ｂは、長手方向に延びる側面視略矩形状に形成されている。左上肉薄部５ｂの上下方向長さは、第１スペーサー３の上下方向長さと略同一である。
【００４９】
左下肉薄部５ｃは、図２の破線および図３（ａ）で示されるように、左肉厚部５ａの下側に隣接して形成されている。左上肉薄部５ｂは、長手方向に延びる側面視略矩形状に形成されている。左下肉薄部５ｃの上下方向長さは、第３スペーサー４の上下方向長さと略同一である。
【００５０】
図２が参照されるように、左壁５の長手方向他方側端部には、被係合部１３が設けられている。
【００５１】
被係合部１３は、左後連結部１０の係合部２１（後述）と係合して、バッテリーカバー１を筒状に保持するために設けられている。被係合部１３は、長手方向一方側に向かって開放される略コ字形状をなし、肉薄状に形成されており、第１被係合部１４と、第１被係合部１４と下方に間隔を隔てて配置される第２被係合部１５と、第１被係合部１４と第２被係合部１５との間を連結する重複部１６とを一体的に備えている。
【００５２】
第１被係合部１４は、側面視略矩形状をなし、その上下方向中央には、第１突出部１７（後述）を差し込むための第１スリット１８が上下方向に沿って形成されている。
【００５３】
第２被係合部１５は、側面視略矩形状をなし、その上下方向中央には、第２突出部１９（後述）を差し込むための第２スリット２０が上下方向に沿って形成されている。第２被係合部１５と第１被係合部１４との上下方向長さおよび長手方向長さは、略同一である。第２スリット２０と第１スリット１８との上下方向長さは、略同一である。すなわち、第２被係合部１５の形状は、第１被係合部１４の形状と略同一である。
【００５４】
重複部１６は、側面視略矩形状であり、その長手方向長さは、第１被係合部１４の長手方向長さよりも短くなるように形成されている。
【００５５】
第１被係合部１４、第２被係合部１５および重複部１６の長手方向他端部は、面一に形成されている。
【００５６】
左壁５の長手方向一方側には、左前連結部９が、左壁５と一体的に形成されている。
【００５７】
左前連結部９は、上下方向に細長く形成され、第２スペーサーとしての第２左前スペーサー９ａと、左前上肉薄部９ｂと、左前下肉薄部９ｃと、２つの、折り曲げ部としての左前折り曲げ部９ｄ、９ｅとを一体的に備えている。
【００５８】
第２左前スペーサー９ａは、上下方向に沿う側面視略矩形状をなし、内側に膨出するように肉厚に形成されている。第２左前スペーサー９ａは、その厚みＬ２（内側面から外側面までの距離）が、左前上肉薄部９ｂおよび左前下肉薄部９ｃの厚みよりも大きくなるように形成され、左肉厚部５ａの厚みよりも同一または小さくなるように形成されている。
【００５９】
左前上肉薄部９ｂは、図２の破線および図３（ｂ）に参照されるように、第２左前スペーサー９ａの上側に隣接して形成されている。左前上肉薄部９ｂは、側面視略矩形状に形成されている。左前上肉薄部９ｂの上下方向長さは、第１スペーサー３の上下方向長さと略同一である。
【００６０】
左前下肉薄部９ｃは、図２の破線および図３（ｂ）に参照されるように、第２左前スペーサー９ａの下側に隣接して形成されている。左前下肉薄部９ｃは、側面視略矩形状に形成されている。左前下肉薄部９ｃの上下方向長さは、第３スペーサー４の上下方向長さと略同一である。
【００６１】
２つの左前折り曲げ部９ｄ、９ｅは、第２左前スペーサー９ａ、左前上肉薄部９ｂおよび左前下肉薄部９ｃの長手方向一方向および他方向のそれぞれに、隣接して形成されている。２つの左前折り曲げ部９ｄ、９ｅは、上下方向に延びる線状に形成され、肉薄に形成されている。それぞれの上下方向長さは、第２左前スペーサー９ａ、左前上肉薄部９ｂおよび左前下肉薄部９ｃのそれぞれの上下方向長さの合計と同一長さである。
【００６２】
第２左前スペーサー９ａは、一方の左前折り曲げ部９ｄを介して左壁５に連結され、他方の左前折り曲げ部９ｅを介して前壁７に連結されている。
【００６３】
左前連結部９の長手方向一方側には、前壁７が、左前連結部９と一体的に形成されている。
【００６４】
前壁７は、左壁５よりも長い長手方向長さを有する側面視略矩形状をなし、その上端部が上方に向かって側面視略Ｕ字形状に切り欠かれている。前壁７は、前肉厚部７ａと、前上肉薄部７ｂと、前下肉薄部７ｃとを一体的に備えている。
【００６５】
前肉厚部７ａは、前壁７の上下方向略中央に、側面視略矩形状に形成されている。前肉厚部７ａは、内側に向かって膨出している。前肉厚部７ａの厚み（内側面から外側面までの距離）は、左肉厚部５ａの厚みと略同一である。
【００６６】
前上肉薄部７ｂは、前肉厚部７ａの上側に隣接して形成されている。前上肉薄部７ｂは、その上端縁が前壁７の上端部に沿う略Ｕ字形状に形成されている。
【００６７】
前下肉薄部７ｃは、図２の破線で示されるように、前肉厚部７ａの下側に隣接して形成されている。前下肉薄部７ｃは、長手方向に延びる側面視略矩形状に形成されている。前下肉薄部７ｃの上下方向長さは、第３スペーサー４の上下方向長さと略同一である。
【００６８】
前壁７の長手方向一方側には  右前連結部１１が、前壁７と一体的に形成されている。
【００６９】
右前連結部１１は、左前連結部９と略同一形状で上下方向に細長く形成され、第２スペーサーとしての第２右前スペーサー１１ａと、右前上肉薄部１１ｂと、右前下肉薄部１１ｃと、２つの、折り曲げ部としての右前折り曲げ部１１ｄ、１１ｅとを一体的に備えている。
【００７０】
第２右前スペーサー１１ａは、上下方向に沿う側面視略矩形状をなし、内側に膨出するように肉厚に形成されている。第２右前スペーサー１１ａの厚みは、第２左前スペーサー９ａの厚みと略同一である。
【００７１】
右前上肉薄部１１ｂは、図２の破線で示されるように、第２右前スペーサー１１ａの上側に隣接して形成されている。右前上肉薄部１１ｂは、側面視略矩形状に形成されている。右前上肉薄部１１ｂの上下方向長さは、第１スペーサー３の上下方向長さと略同一である。
【００７２】
右前下肉薄部１１ｃは、図２の破線で示されるように、第２右前スペーサー１１ａの下側に隣接して形成されている。右前下肉薄部１１ｃは、側面視略矩形状に形成されている。右前下肉薄部１１ｃの上下方向長さは、第３スペーサー４の上下方向長さと略同一である。
【００７３】
２つの右前折り曲げ部１１ｄ、１１ｅは、第２右前スペーサー１１ａ、右前上肉薄部１１ｂおよび右前下肉薄部１１ｃの長手方向一方向および他方向のそれぞれに、隣接して形成されている。２つの右前折り曲げ部１１ｄ、１１ｅは、上下方向に延びる線状に形成され、肉薄に形成されている。それぞれの上下方向長さは、第２右前スペーサー１１ａ、右前上肉薄部１１ｂおよび右前下肉薄部１１ｃのそれぞれの上下方向長さの合計と同一長さである。
【００７４】
第２右前スペーサー１１ａは、一方の右前折り曲げ部１１ｄを介して前壁７に連結され、他方の右前折り曲げ部１１ｅを介して右壁６に連結されている。
【００７５】
右前連結部１１の長手方向一方側には  右壁６が、右前連結部１１と一体的に形成されている。
【００７６】
右壁６は、前壁７よりも短く、左壁５と略同一の長手方向長さを有する側面視略矩形状をなし、右肉厚部６ａと、右上肉薄部６ｂと、右下肉薄部６ｃとを一体的に備えている。
【００７７】
右肉厚部６ａは、右壁６の上下方向略中央に、側面視略矩形状に形成されている。右肉厚部６ａは、内側に向かって膨出している。右肉厚部６ａは、その厚みが、右上肉薄部６ｂおよび右下肉薄部６ｃの厚みよりも大きくなるように形成され、左肉厚部５ａの厚みと略同一に形成されている。
【００７８】
右上肉薄部６ｂは、図２の破線で示されるように、右肉厚部６ａの上側に隣接して形成されている。右上肉薄部６ｂは、長手方向に延びる側面視略矩形状に形成されている。右上肉薄部６ｂの上下方向長さは、第１スペーサー３の上下方向長さと略同一である。
【００７９】
右下肉薄部６ｃは、図２の破線で示されるように、右肉厚部６ａの下側に隣接して形成されている。右下肉薄部６ｃは、長手方向に延びる側面視略矩形状に形成されている。右下肉薄部６ｃの上下方向長さは、第３スペーサー４の上下方向長さと略同一である。
【００８０】
右壁６の長手方向一方側には  右後連結部１２が、右壁６と一体的に形成されている。
【００８１】
右後連結部１２は、左前連結部９と略同一形状で上下方向に細長く形成され、第２スペーサーとしての第２右後スペーサー１２ａと、右後上肉薄部１２ｂと、右後下肉薄部１２ｃと、２つの、折り曲げ部としての右後折り曲げ部１２ｄ、１２ｅとを一体的に備えている。
【００８２】
第２右後スペーサー１２ａは、上下方向に沿う側面視略矩形状をなし、内側に膨出するように肉厚に形成されている。第２右後スペーサー１２ａの厚みは、第２左前スペーサー９ａの厚みと略同一である。
【００８３】
右後上肉薄部１２ｂは、図２の破線で示されるように、第２右後スペーサー１２ａの上側に隣接して形成されている。右後上肉薄部１２ｂは、側面視略矩形状に形成されている。右後上肉薄部１２ｂの上下方向長さは、第１スペーサー３の上下方向長さと略同一である。
【００８４】
右後下肉薄部１２ｃは、図２の破線で示されるように、第２右後スペーサー１２ａの下側に隣接して形成されている。右後下肉薄部１２ｃは、側面視略矩形状に形成されている。右後下肉薄部１２ｃの上下方向長さは、第３スペーサー４の上下方向長さと略同一である。
【００８５】
２つの右後折り曲げ部１２ｄ、１２ｅは、第２右後スペーサー１２ａ、右前上肉薄部１１ｂおよび右前下肉薄部１１ｃの長手方向一方向および他方向のそれぞれに、隣接して形成されている。２つの右後折り曲げ部１２ｄ、１２ｅは、上下方向に延びる線状に形成され、肉薄に形成されている。それぞれの上下方向長さは、第２右後スペーサー１２ａ、右後上肉薄部１２ｂおよび右後下肉薄部１２ｃのそれぞれの上下方向長さの合計と同一長さである。
【００８６】
第２右後スペーサー１２ａは、一方の右後折り曲げ部１２ｄを介して右壁６に連結され、他方の右後折り曲げ部１２ｅを介して後壁８に連結されている。
【００８７】
右後連結部１２の長手方向一方側には、後壁８が、右後連結部１２と一体的に形成されている。
【００８８】
後壁８は、右壁６よりも長く、前壁７と略同一の長手方向長さを有する側面視略矩形状をなし、その上端部が、前壁７の上端部より浅くなるように、上方に向かって側面視略Ｕ字形状に切り欠かれている。後壁８は、後肉厚部８ａと、後上肉薄部８ｂと、後下肉薄部８ｃとを一体的に備えている。
【００８９】
後肉厚部８ａは、後壁８の上下方向略中央に、側面視略矩形状に形成されている。後肉厚部８ａは、内側に向かって膨出している。後肉厚部８ａの厚みは、左肉厚部５ａの厚みと略同一である。
【００９０】
後上肉薄部８ｂは、後肉厚部８ａの上側に隣接して形成されている。後上肉薄部８ｂは、その上端縁が、後壁８の上端部に沿う略Ｕ字形状に形成されている。
【００９１】
後下肉薄部８ｃは、図２の破線で示されるように、後肉厚部８ａの下側に隣接して形成されている。後下肉薄部８ｃは、長手方向に延びる側面視略矩形状に形成されている。後下肉薄部８ｃの上下方向長さは、第３スペーサー４の上下方向長さと略同一である。
【００９２】
後壁８の長手方向一方側には  左後連結部１０が、後壁８と一体的に形成されている。
【００９３】
左後連結部１０は、左前連結部９と略同一形状で上下方向に細長く形成され、第２スペーサーとしての第２左後スペーサー１０ａと、左後上肉薄部１０ｂと、左後下肉薄部１０ｃと、２つの、折り曲げ部としての左後折り曲げ部１０ｄ、１０ｅとを備えている。
【００９４】
第２左後スペーサー１０ａは、上下方向に沿う側面視略矩形状をなし、内側に膨出するように肉厚に形成されている。第２左後スペーサー１０ａの厚みは、第２左前スペーサー９ａの厚みと略同一である。
【００９５】
左後上肉薄部１０ｂは、図２の破線で示されるように、第２左後スペーサー１０ａの上側に隣接して形成されている。左後上肉薄部１０ｂは、側面視略矩形状に形成されている。左後上肉薄部１０ｂの上下方向長さは、第１スペーサー３の上下方向長さと略同一である。
【００９６】
左後下肉薄部１０ｃは、図２の破線で示されるように、第２左後スペーサー１０ａの下側に隣接して形成されている。左後下肉薄部１０ｃは、側面視略矩形状に形成されている。左後下肉薄部１０ｃの上下方向長さは、第３スペーサー４の上下方向長さと略同一である。
【００９７】
２つの左後折り曲げ部１０ｄ、１０ｅは、第２左後スペーサー１０ａ、左後上肉薄部１０ｂおよび左後下肉薄部１０ｃの長手方向一方向および他方向のそれぞれに、隣接して形成されている。２つの左後折り曲げ部１０ｄ、１０ｅは、上下方向に延びる線状に形成され、肉薄に形成されている。それぞれの上下方向長さは、第２左後スペーサー１０ａ、左後上肉薄部１０ｂおよび左後下肉薄部１０ｃのそれぞれの上下方向長さの合計と同一長さである。
【００９８】
第２左後スペーサー１０ａは、一方の左後折り曲げ部１０ｄを介して後壁８に連結され、他方の左後折り曲げ部１０ｅを介して係合部２１（後述）に連結されている。
【００９９】
左後連結部１０は、その長手方向一方側端部に、係合部２１を備えている。係合部２１は、肉薄状に形成されており、その長手方向一方側には、第１突出部１７および第２突出部１９を備えている。
【０１００】
第１突出部１７は、係合部２１の上方において長手方向一方向に突出し、側面視略矩形状に形成される第１突部２４と、第１突部２４の長手方向一端部から上方または下方に膨出する頭部２５とを一体的に備えている。
【０１０１】
第１突部２４の上下方向長さは、第１スリット１８の上下方向長さと略同一になるように形成されている。  
【０１０２】
第２突出部１９は、第１突出部１７と下方に間隔を隔てて設けられ、係合部２１の長手方向一方向に突出するように形成されている。第２突出部１９は、第１突出部１７と略同一形状に形成されている。すなわち、第２突出部１９は、係合部２１の下方において長手方向一方向に突出し、側面視略矩形状に形成される第２突部２６と、第２突部２６の長手方向一端部から上方または下方に膨出する第２頭部２７とを一体的に備えている。
【０１０３】
第２突部２６の上下方向長さは、第２スリット２０の上下方向長さと略同一となるように形成されている。  
【０１０４】
４つの連結部２３（左前連結部９、左後連結部１０、右前連結部１１および右後連結部１２）のそれぞれは、折り畳み部２８を構成し、側壁２の内側面が接触するようにバッテリーカバー１を折り畳むことを可能とする。
【０１０５】
バッテリーカバー１の各側壁２および各連結部２３の内側面の上端縁には、第１スペーサー３が設けられている。より具体的には、第１スペーサー３は、左上肉薄部５ｂ、左前上肉薄部９ｂ、前上肉薄部７ｂ、右前上肉薄部１１ｂ、右上肉薄部６ｂ、右後上肉薄部１２ｂ、後上肉薄部８ｂ、および、左後上肉薄部１０ｂの内側面の上端縁に沿って、連続して設けられている。各側壁２および各連結部２３の上端部と第１スペーサー３の上端部とは、面一になるように、第１スペーサー３は、各側壁２および各連結部２３に配置されている。
【０１０６】
第１スペーサー３の内側面は、各側壁２の肉厚部（左肉厚部５ａ、右肉厚部６ａ、前肉厚部７ａおよび後肉厚部８ａ）の内側面よりも内側に位置し、かつ、各連結部２３の第２スペーサー（第２左前スペーサー９ａ、第２左後スペーサー１０ａ、第２右前スペーサー１１ａおよび第２右後スペーサー１２ａ）の内側面よりも内側に位置する。
【０１０７】
第１スペーサー３は、長手方向に延びる断面視略矩形状に形成され、発泡体（スポンジ）から形成されている。
【０１０８】
バッテリーカバー１の各側壁２および各連結部２３の内側面の下端縁には、第３スペーサー４が設けられている。より具体的には、第３スペーサー４は、左下肉薄部５ｃ、左前下肉薄部９ｃ、前下肉薄部７ｃ、右前下肉薄部１１ｃ、右下肉薄部６ｃ、右後下肉薄部１２ｃ、後下肉薄部８ｃ、および、左後下肉薄部１０ｃの内側面の下端縁に沿って、連続して設けられている。各側壁２および各連結部２３の下端面と第３スペーサー４の下端面とは、面一になるように、第３スペーサー４は、各側壁２および各連結部２３に配置されている。
【０１０９】
第３スペーサー４の内側面は、各側壁２の肉厚部（左肉厚部５ａ、右肉厚部６ａ、前肉厚部７ａおよび後肉厚部８ａ）の内側面よりも内側に位置し、かつ、各連結部２３の第２スペーサー（第２左前スペーサー９ａ、第２左後スペーサー１０ａ、第２右前スペーサー１１ａおよび第２右後スペーサー１２ａ）の内側面よりも内側に位置する。
【０１１０】
第３スペーサー４は、長手方向に延びる断面視略矩形状に形成されている。第３スペーサー４は、第１スペーサー３と同一の材料、すなわち、発泡体（スポンジ）から形成されている。
【０１１１】
２．バッテリーカバーの作製方法
まず、発泡層（図１および図３において、符号３９で示す。）と、発泡層の両面に積層されている表皮（図１および図３において、符号４０で示す。）とを備える断熱性のカバー材料を用意する。
【０１１２】
発泡層としては、例えば、ポリウレタン発泡体、ポリスチレン発泡体、ポリオレフィン発泡体、クロロプレン発泡体、ポリエステル発泡体などが挙げられる。発泡層を用いることにより、バッテリーカバーの断熱性が良好になる。これらの発泡層の中でも、好ましくは、成形性、断熱性の観点から、ポリウレタン発泡体が挙げられる。
【０１１３】
表皮としては、例えば、熱硬化性樹脂を含浸させたポリエステルフェルト、ポリプロピレン、ナイロン、ポリエステルとレーヨンとの混合物などが挙げられる。熱硬化性樹脂としては、例えば、フェノール樹脂、レゾンシノール樹脂が挙げられる。
【０１１４】
また、発泡層および表皮として、耐熱性を有するエチレン・プロピレン・ジエンゴム系発泡体（ＥＰＤＭ発泡体）、シリコーン系発泡体などの伸縮性部材なども挙げられる。これらを用いることにより、バッテリーをバッテリーカバーに装着する際に、バッテリーカバーを外側に伸ばすことができ、バッテリーの装着を容易にすることができる。
【０１１５】
発泡層の厚みは、例えば、１ｍｍ以上、好ましくは、５ｍｍ以上であり、また、例えば、２０ｍｍ以下、好ましくは、１５ｍｍ以下でもある。
【０１１６】
表皮の厚みとしては、例えば、０．０５ｍｍ以上、好ましくは、０．３ｍｍ以上であり、また、例えば、１．５ｍｍ以下、好ましくは、１ｍｍ以下でもある。
【０１１７】
カバー材料全体の厚さ（各肉厚部の厚さに相当）は、例えば、１ｍｍ以上、好ましくは、５ｍｍ以上であり、また、例えば、２０ｍｍ以下、好ましくは、１５ｍｍ以下でもある。
【０１１８】
次いで、カバー材料の所定箇所を熱圧縮して、肉薄部を形成する。具体的には、カバー材料を、各肉薄部（左上肉薄部５ｂ、左前上肉薄部９ｂ、前上肉薄部７ｂ、右前上肉薄部１１ｂ、右上肉薄部６ｂ、右後上肉薄部１２ｂ、後上肉薄部８ｂ、および、左後上肉薄部１０ｂ、左下肉薄部５ｃ、左前下肉薄部９ｃ、前下肉薄部７ｃ、右前下肉薄部１１ｃ、右下肉薄部６ｃ、右後下肉薄部１２ｃ、後下肉薄部８ｃ、左後下肉薄部１０ｃ、左前折り曲げ部９ｄ、９ｅ、左後折り曲げ部１０ｄ、１０ｅ、右前折り曲げ部１１ｄ、１１ｅ、右後折り曲げ部１２ｄ、１２ｅ、係合部２１、および、被係合部１３）が得られるように、各肉薄部に対応した形状の加熱板でカバー材料の一方面（内側面）を圧縮する。肉薄部を形成することにより、折り曲げ部の形成が容易となり、また、周辺部との緩衝や接触を回避することができる。
【０１１９】
加熱板の温度は、例えば、１２０℃以上、好ましくは、１４０℃以上であり、また、例えば、２３０℃以下、好ましくは、２００℃以下でもある。
【０１２０】
左肉厚部５ａの厚みＬ１は、具体的には、例えば、５ｍｍ以上、好ましくは、１０ｍｍ以上であり、また、例えば、２０ｍｍ以下、好ましくは、１５ｍｍ以下でもある。また、前肉厚部７ａ、右肉厚部６ａおよび後肉厚部８ａの厚みも、上記範囲と同様である。
【０１２１】
第２左前スペーサー９ａの厚みＬ２は、具体的には、例えば、１ｍｍ以上、好ましくは、２ｍｍ以上であり、また、例えば、１５ｍｍ以下、好ましくは、１０ｍｍ以下でもある。第２右前スペーサー１１ａ、第２右後スペーサー１２ａおよび第２左後スペーサー１０ａの厚みも、上記範囲と同様である。
【０１２２】
各肉薄部の厚みは、全て、略同一であり、具体的には、例えば、０．１ｍｍ以上、好ましくは、０．５ｍｍ以上であり、また、例えば、２ｍｍ以下、好ましくは、１．５ｍｍ以下でもある。
【０１２３】
各折り曲げ部（左前折り曲げ部９ｄ、９ｅ、左後折り曲げ部１０ｄ、１０ｅ、右前折り曲げ部１１ｄ、１１ｅ、右後折り曲げ部１２ｄ、１２ｅ）の長手方向長さは、例えば、具体的には、例えば、２ｍｍ以上、好ましくは、６ｍｍ以上であり、また、例えば、３５ｍｍ以下、好ましくは、２０ｍｍ以下でもある。
【０１２４】
次いで、外形加工する。より具体的には、各肉薄部の外側に沿って、カバー材料を切断する。
【０１２５】
これにより、左壁５、左前連結部９、前壁７、右前連結部１１、右壁６、右後連結部１２、後壁８、および、左後連結部１０が、この順で連続して一体成型されたバッテリーカバー壁材が得られる。
【０１２６】
次いで、バッテリーカバー壁材の内側面の上端縁に沿って、側面視略矩形状の長尺な第１スペーサー３を貼着する。
【０１２７】
第１スペーサー３は、発泡体から形成されている。発泡体としては、例えば、エチレン・プロピレン・ジエンゴム発泡体（ＥＰＤＭ発泡体）、エチレン・プロピレン発泡体（ＥＰＭ発泡体）、ポリウレタン発泡体、ポリスチレン発泡体、ポリオレフィン発泡体、クロロプレン発泡体などが挙げられる。好ましくは、ＥＰＤＭ発泡体が挙げられる。
【０１２８】
第１スペーサー３の厚さＬ１（最内側から最外側までの距離）は、例えば、１ｍｍ以上、好ましくは、５ｍｍ以上であり、また、例えば、１５ｍｍ以下、好ましくは、１０ｍｍ以下でもある。また、第１スペーサー３の上下方向長さは、例えば、３ｍｍ以上、好ましくは、７ｍｍ以上であり、また、例えば、１５ｍｍ以下、好ましくは、１０ｍｍ以下でもある。
【０１２９】
次いで、バッテリーカバー壁材の内側面の下端縁に沿って、側面視略矩形状の長尺な第３スペーサー４を貼着する。
【０１３０】
第３スペーサー４は、発泡体から形成されている。発泡体としては、例えば、第１スペーサー３と同一のものが挙げられる。好ましくは、ＥＰＤＭ発泡体が挙げられる。第３スペーサー４の厚さおよび上下方向長さは、それぞれ第１スペーサー３の厚さおよび上下方向長さと略同一である。
【０１３１】
そして、左後連結部１０の第１突出部１７および第２突出部１９をそれぞれ、左壁５の第１スリット１８および第２スリット２０に差し込むことにより、左壁５および左後連結部１０が連結された、角筒形状のバッテリーカバー１が得られる。
【０１３２】
具体的には、上記したように、バッテリーカバー１は、前壁７および後壁８が前後方向に間隔を隔てて対向し、左壁５および右壁６が左右方向に間隔を隔てて対向する、左右方向に長い平面視略矩形状に形成される。
【０１３３】
そして、バッテリーカバー１の四隅のそれぞれでは、互いに略直角に隣接配置される各側壁２（前壁７と左壁５、左壁５と後壁８、後壁８と右壁６、右壁６と前壁７）が、各連結部２３（左前連結部９、左後連結部１０、右前連結部１１、右後連結部１２）を介して連結されている。各連結部２３では、第２スペーサー（第２左前スペーサー９ａ、第２左後スペーサー１０ａ、第２右前スペーサー１１ａ、第２右後スペーサー１２ａ）を挟む２つの折り曲げ部（左前折り曲げ部９ｄ、９ｅ、左後折り曲げ部１０ｄ、１０ｅ、右前折り曲げ部１１ｄ、１１ｅ、右後折り曲げ部１２ｄ、１２ｅ）が屈曲されることにより、互いに隣接する側壁２の略直角状の配置を実現している。
【０１３４】
すなわち、互いに隣接する側壁２のうち一方の側壁２（例えば、前壁７）と連結部２３（例えば、左前連結部９）とが、一方の折り曲げ部（例えば、左前折り曲げ部９ｅ）において屈曲されることにより、角筒形状の内側に鈍角（例えば、１００〜１７５度、好ましくは、１２０〜１５０度、最も好ましくは、１３５度）が形成されるように連結され、互いに隣接する側壁２のうち他方の側壁２（例えば、左壁５）と連結部２３（例えば、左前連結部９）とが、他方の折り曲げ部（例えば、折り曲げ部９ｄ）において屈曲されることにより、角筒形状の内側に鈍角が形成されるように連結されている。
【０１３５】
これによって、バッテリーカバー１の四隅のそれぞれは、互いに略直角に隣接配置される各側壁２と連結部２３とによって、２つの角（鈍角）が形成されることにより、平面視略台形状に形成される。
【０１３６】
３．バッテリーの装着
図４に示すように、バッテリー３１は、車両、船舶などに搭載される二次電池であり、内部にバッテリー液３２が充填されている。
【０１３７】
バッテリー３１は、略直方体形状に形成されており、上面には、２つの端子３３が設けられており、その前面には、バッテリー液界面３４が外部から目視できるバッテリー液検知部３５が設けられている。バッテリー液検知部３５には、バッテリー液３２の充填量の上限を示す上限目盛３６ａと、バッテリー液３２の充填量の下限を示す下限目盛３６ｂとが付されている。バッテリー液３２は、バッテリー液界面３４が上限目盛と下限目盛との間に位置するように、バッテリー３１内に充填されている。
【０１３８】
バッテリー３１のバッテリー液検知部３５がある側面（前面）が、バッテリーカバー１の前壁７と対向配置されるように、バッテリーカバー１はバッテリー３１に装着される。このとき、バッテリー液検知部３５は、前壁７の略Ｕ字形状に切り欠かれた上端部から露出している。
【０１３９】
図５および図６が示すように、バッテリーカバー１は、バッテリーカバー１の４つの側壁２（内側面）から区画される空間が、バッテリー３１の側面よりもわずかに大きくなるように、形成されている。
【０１４０】
図６に示すように、バッテリーカバー１の四隅のそれぞれでは、２つの折り曲げ部（左前折り曲げ部９ｄ、９ｅ、左後折り曲げ部１０ｄ、１０ｅ、右前折り曲げ部１１ｄ、１１ｅ、右後折り曲げ部１２ｄ、１２ｅ）がそれぞれ屈曲することにより、バッテリーカバー１の外周形状は、四隅の角が斜めに面取りされた形状、すなわち、平面視略八角形に形成されている。そして、バッテリーカバー１の内周面においては、４つの隅部（特に、第２左前スペーサー９ａ、第２左後スペーサー１０ａ、第２右前スペーサー１１ａおよび第２右後スペーサー１２ａからなる４つの第２スペーサー）が内側に突出している。そのため、バッテリー３１がバッテリーカバー１に装着されたときに、４つの第２スペーサーは、バッテリーの側面の４つの隅３８（角：３８ａ、３８ｂ、３８ｃ、３８ｄ）と接触し、バッテリーカバー１は、バッテリー３１に固定される。
【０１４１】
また、第１スペーサー３は、バッテリー３１の側面の上部と接触し、第３スペーサー４は、バッテリー３１の側面の下部と接触する。具体的には、第１スペーサー３の内側面が、バッテリー３１の側面と周方向すべてにわたって接触し、第３スペーサー４の内側面が、バッテリー３１の側面と周方向すべてにわたって接触する。
【０１４２】
バッテリー３１の底面は、第３スペーサー４の下端面およびバッテリーカバー１の側壁２の下端面と面一になっている。
【０１４３】
そして、バッテリーカバー１の側壁２の内側面と、バッテリー３１の側面と、第１スペーサー３と、第２スペーサーと、第３スペーサー４とによって、密閉された４つの空間３７（空気層）が区画される。
【０１４４】
具体的には、バッテリー３１の前方では、第１スペーサー３、第２左前スペーサー９ａ、第２右前スペーサー１１ａ、第３スペーサー４、前壁７およびバッテリー３１の前面から、前方空間３７ａが区画される。バッテリー３１の後方では、第１スペーサー３、第２左後スペーサー１０ａ、第２右後スペーサー１２ａ、第３スペーサー４、後壁８およびバッテリーの後側の側面から、後方空間３７ｂが区画される。バッテリー３１の左方では、第１スペーサー３、第２左前スペーサー９ａ、第２左後スペーサー１０ａ、第３スペーサー４、左壁５およびバッテリー３１の左側の側面から、左方空間３７ｃが区画される。バッテリー３１の右方では、第１スペーサー３、第２右前スペーサー１１ａ、第２右後スペーサー１２ａ、第３スペーサー４、右壁６およびバッテリーの右側の側面から、右方空間３７ｄが区画される。
【０１４５】
各空間３７の距離（バッテリーカバー１の各側壁２の内側面とバッテリー３１の側面との距離）は、例えば、１ｍｍ以上、好ましくは、３ｍｍ以上であり、また、例えば、１５ｍｍ以下、好ましくは、１０ｍｍ以下でもある。
【０１４６】
４．折り畳み  
バッテリーカバー１は、図７または図８に示すように、折り畳むことができる。
【０１４７】
具体的には、図７では、右前連結部１１の右前折り曲げ部１１ｄおよび１１ｅと、左後連結部１０の左後折り曲げ部１０ｄおよび１０ｅとを折り曲げるとともに、左前連結部９の左前折り曲げ部９ｄおよび９ｅと、右後連結部１２の右後折り曲げ部１２ｄおよび１２ｅとを伸長させることにより、前壁７、左前連結部９および左壁５が連続して平板形状となり、後壁８、右後連結部１２および右壁６が連続して平板形状となり、それらが重なり合うように折り畳まれる。
【０１４８】
このとき、右前連結部１１と、右前連結部１１の両側に連結する前壁７および右壁６とにおいて、第１スペーサー３および第３スペーサー４は、２つの右前折り曲げ部１１ｄおよび１１ｅに沿って、平面視略Ｕ字形状に屈曲される。
【０１４９】
一方、図８では、左前連結部９の左前折り曲げ部９ｄおよび９ｅと、右後連結部１２の右後折り曲げ部１２ｄおよび１２ｅとを折り曲げるとともに、右前連結部１１の右前折り曲げ部１１ｄおよび１１ｅと、左後連結部１０の左後折り曲げ部１０ｄおよび１０ｅとを伸長させることにより、前壁７、右前連結部１１および右壁６が連続して平板形状となり、後壁８、左後連結部１０および左壁５が連続して平板形状となり、それらが重なり合うように折り畳まれる。
【０１５０】
このとき、左前連結部９と、左前連結部９の両側に連結する前壁７および左壁５とにおいて、第１スペーサー３および第３スペーサー４は、２つの左前折り曲げ部９ｄおよび９ｅに沿って、平面視略Ｕ字形状に屈曲される。
【０１５１】
５．作用効果
そして、このバッテリーカバー１は、バッテリー３１の四方の側面を覆う側壁２（左壁５、右壁６、前壁７および後壁８）と、側壁２の上部に設けられる第１スペーサー３と備えるので、バッテリー３１の側面と、バッテリーカバー１の各側壁２との間に、空間３７（空気層）が生じる。
【０１５２】
そのため、外部からバッテリーカバー１の側壁２に伝導した熱が、バッテリーカバー１を通じてバッテリー３１の側面に直接伝導しない。その結果、バッテリーカバー１は、断熱性に優れ、バッテリー３１を外部の熱から効果的に保護することができる。
【０１５３】
また、バッテリーカバー１では、第２スペーサー（第２左前スペーサー９ａ、第２左後スペーサー１０ａ、第２右前スペーサー１１ａおよび第２右後スペーサー１２ａ）が、側壁２に上下方向に沿って設けられて、上下方向に沿ってバッテリー３１の側面に接触する。
【０１５４】
そのため、バッテリーカバー１の側壁２とバッテリー３１の側面との間の空間３７を保持することができる。
【０１５５】
具体的には、このバッテリーカバー１では、バッテリーカバー１がバッテリー３１に装着されたときに、第２スペーサーが、バッテリーの側面の隅３８（３８ａ、３８ｂ、３８ｃおよび３８ｄ）に接触するように、側壁２に設けられている。
【０１５６】
そのため、バッテリー３１の側面の隅３８は、その強度が高いため、より確実にバッテリーカバー１をバッテリー３１に装着することができる。
【０１５７】
具体的には、４つの第２スペーサー（第２左前スペーサー９ａ、第２左後スペーサー１０ａ、第２右前スペーサー１１ａおよび第２右後スペーサー１２ａ）が、バッテリー３１の側面の４つの隅３８のそれぞれに接触するように、側壁２に設けられている。
【０１５８】
そのため、バッテリー３１の四隅３８ａ、３８ｂ、３８ｃおよび３８ｄに、第２スペーサーが接触するため、より確実にバッテリーカバー１をバッテリー３１に装着することができながら、バッテリーカバー１の側壁２とバッテリー３１の側面との間の空間３７を保持することができる。
【０１５９】
つまり、このバッテリーカバー１は、各側壁２（左壁５、右壁６、前壁７および後壁８）と各連結部２３（左前連結部９、左後連結部１０、右前連結部１１および右後連結部１２）とにより、平面視略八角形状を形成する。そのため、バッテリーカバー１の側壁２とバッテリー３１の側面との間に空間を確実に形成することができる。
【０１６０】
さらに詳述すると、バッテリーカバー１をバッテリー３１に装着すると、上記したように、４つの空間（３７ａ、３７ｂ、３７ｃおよび３７ｄ）が区画される。そのため、より一層確実にバッテリーカバー１とバッテリー３１との間に空間３７を形成および保存することができる。
【０１６１】
また、このバッテリーカバー１は、４つの折り畳み部２８（左前連結部９、左後連結部１０、右前連結部１１および右後連結部１２）が互いに間隔を隔てて設けられている。そのため、側壁２の内側面が接触するようにバッテリーカバー１を折り畳むことができるので、コンパクトに持ち運び、保管することができる。
【０１６２】
さらに詳述すると、このバッテリーカバー１では、折り畳み部２８のそれぞれが、２つの折り曲げ部（左前折り曲げ部９ｄおよび９ｅ、左後折り曲げ部１０ｄおよび１０ｅ、右前折り曲げ部１１ｄおよび１１ｅ、右後折り曲げ部１２ｄおよび１２ｅ）を備えている。そのため、バッテリーカバー１をバッテリー３１に装着する際に角筒形状としたときに、バッテリーカバー１の各隅に２つの角を形成することができる。そのため、バッテリーカバー１を上記したように平面視略八角形に形成することができ、バッテリーカバー１の側壁２とバッテリー３１の側面との間に空間を確実に形成することができる。
【０１６３】
また、バッテリーカバー１を折り畳んだ際に、折り畳み部２８で対向する側壁２同士が所定の距離を保てるので、その側壁２の内側面に設けられている第１スペーサー３同士が接触して生じる応力を緩和することができる。その結果、バッテリーカバー１を折り畳んで保管する際に、第１スペーサー３の破損を低減することができる。
【０１６４】
また、このバッテリーカバー１では、側壁２が、断熱材から形成される発泡層を備えているので、バッテリーカバー１の断熱性がより一層向上する。そのため、バッテリー３１を熱からより一層保護することができる。
【０１６５】
具体的には、側壁２が、発泡層と、発泡層の両面に積層されている表皮とを備えているので、バッテリーカバー１の断熱性がより一層向上する。そのため、バッテリー３１を熱からより一層保護することができる。
【０１６６】
＜第２実施形態＞
図９に示されるように、第２実施形態のバッテリーカバー１では、外気を空間３７に取り込む外気取込機構としての開口部４１およびフラップ４２を備えている。
【０１６７】
開口部４１は、前壁７の略中央に、前壁７の厚み方向を貫通する略側面視矩形状に形成され、空間の内外を連通する。
【０１６８】
フラップ４２は、弾性を有するフィルムなどの可撓性材料からなり、開口部４１よりやや大きい略矩形平板形状に形成されている。フラップ４２は、前壁７の内側面から、開口部４１を覆うように、配置されている。図１０（ａ）に示されるように、フラップ４２の上端部は、開口部４１の上方の前壁７の内側面に固定されており、フラップ４２の上端部を除く周端部（左端部、右端部および下端部）は、前壁７における開口部４１の周縁部に離間可能に接触している。
【０１６９】
そして、バッテリーカバー１は、開口部４１が車両の前方に向かうように、バッテリー３１に装着される。図１０（ｂ）に示されるように、前方から空気が流入すると、フラップ４２は、上端部を支点として後方に揺動し、開口部４１を開放する。
【０１７０】
そのため、車両の停止時には、開口部４１は、フラップ４２によって閉鎖される一方、車両の走行時には、上記したように、フラップ４２が開口部４１を開放して外部の空気を空間３７の内部に取り込むことができる。
【０１７１】
このようなバッテリーカバー１は、空間３７の内外を連通する開口部４１と、開口部４１を開閉するフラップ４２とを備えている。そのため、フラップ４２の適宜の開動作により、開口部４１から新鮮な空気を空間３７の内部に取り込むことができる。その結果、バッテリー３１を速やかかつ確実に冷やすことができる。
【０１７２】
なお、開口部４１の内部には、図示しないが、さらに換気ファンなどを設けることもできる。
【０１７３】
＜第３実施形態＞
図１１に示されるように、第３実施形態のバッテリーカバー１は、外気を空間３７に取り込む外気取込機構としての、空間３７の内外を連通する２つの第１開口部４３および第２開口部４４を備えている。
【０１７４】
第１開口部４３は、吸気口として設けられ、前壁７の下方において厚み方向を貫通して、前壁７の内側面と外側面とを連通させている。第１開口部４３は、円筒形状をなし、軸方向が前後方向に延びるように配置されている。第１開口部４３は、ストロー構造または逆止弁構造であり、外部の空気を内部（空間３７）へと一方向に流入させることができる。
【０１７５】
第２開口部４４は、排気口として設けられ、前壁７の上方において、第１スペーサー３と前壁７の内側面との間に配置され、第１スペーサー３の内側面と外側面とを連通させている。第２開口部４４は、円筒形状をなし、軸方向が上下方向に延びるように配置されている。第２開口部４４は、ストロー構造または逆止弁構造であり、内部（空間３７）の空気を外部へと一方向に流入させることができる。
【０１７６】
そして、バッテリーカバー１は、第１開口部４３および第２開口部４４、前方空間を区画する部材（前壁７、バッテリー前面、第１スペーサー３、第２左前スペーサー９ａ、第２右前スペーサー１１ａおよび第３スペーサー４）とでポンプ構造を構成している。
そのため、車両の走行時においては、第１開口部４３、空間３７および第２開口部４４の順で、外部の空気を空間３７の内部に取り入れ、空間３７の内部の空気を外部に排気することができる。
【０１７７】
また、このバッテリーカバー１は、空間３７の内外を連通する２つの第１開口部４３と第２開口部４４を備えるので、第１開口部４３から新鮮な空気を空間３７の内部に取り込むことができるとともに、第２開口部４４から空間３７の内部の空気を外部に排気することができ、バッテリー３１を確実に冷やすことができる。
【０１７８】
具体的には、このバッテリーカバー１では、第１開口部４３が側壁２に設けられ、第２開口部４４が第１スペーサー３に設けられており、第１開口部４３が吸気口となり、第２開口部４４が排気口となる。そのため、新鮮な空気を、第１開口部４３から取り込み、第２開口部４４から排気できるので、空間３７の内部に、新鮮な空気の通過パスを形成することができる。その結果、バッテリー３１をより効率的に冷却することができる。
【０１７９】
＜第４実施形態＞
図１２に示されるように、第４実施形態のバッテリーカバー１では、第４スペーサー４６を、バッテリーカバー１の側壁２の内側面の上下方向略中央に、備えている。第４スペーサー４６は、断面視略矩形状に形成されており、第４スペーサー４６の内側面は、バッテリー３１に装着時において、バッテリー３１の側面に接触する。
【０１８０】
なお、第４スペーサー４６は、バッテリーカバー１の側壁２のすべて（すなわち、左壁５、右壁６、前壁７および後壁８）にわたって、平面視略矩形枠状に形成することもでき、また、バッテリーカバー１の側壁２の一部（例えば、前壁７および後壁８）に形成することもできる。
【０１８１】
このように第４スペーサー４６を設ければ、各空間３７において、バッテリーカバー１とバッテリー３１との隙間を確実に確保することができ、断熱性を向上させることができる。
【０１８２】
＜第５実施形態＞
図１３に示されるように、第５実施形態のバッテリーカバー１は、その底面に、滑り性の良いフィルム４８を備えている。
【０１８３】
滑り性の良いフィルム４８は、底面視において、第３スペーサー４、側壁２および連結部２３に沿う略矩形枠状に形成されている。滑り性の良いフィルム４８は、ポリエステル（ＰＥＴ）、ポリエチレン（ＰＥ）、ポリプロピレン（ＰＰ）などの材料から形成されている。
【０１８４】
滑り性の良いフィルム４８を設けることにより、バッテリーカバー１を容易にバッテリー３１に上側から装着することができる。
【０１８５】
＜第６実施形態および第７実施形態＞
図１４（ａ）に示されるように、第６実施形態のバッテリーカバー１では、第１スペーサー３ａは、外側から内側に向かうに従ってやや上方に延びる上下方向に可撓性を有するヒレ構造を備えている。第５実施形態における第１スペーサー３ａは、ゴム、オレフィン材料などから形成されている。
【０１８６】
図１４（ｂ）に示されるように、第７実施形態のバッテリーカバー１では、第１スペーサー３ｂが、側壁２と一体的に形成されている。すなわち、第１スペーサー３ｂは、バッテリーカバー１の側壁２の上端部を内側に折り曲げることにより形成されている。第１スペーサー３は、外側から内側に向かうに従って上方に延びるように形成されている。
【０１８７】
第６実施形態および第７実施形態において、第１スペーサー３ｂは、平面視略矩形枠状をなし、すべての側壁２にわたって形成され、バッテリー３１の全ての側面に接触するように配置される。
【０１８８】
なお、図示しないが、第３スペーサー４についても、第６実施形態または第７実施形態の第１スペーサー３と同様に形成することもできる。
【０１８９】
＜第８実施形態＞
第８実施形態のバッテリーカバー１では、図示しないが、第２スペーサーに伸縮部としての伸縮性スペーサーを採用する。伸縮性スペーサーは、引張応力により伸びる材料、熱により収縮する材料などから形成されている。
【０１９０】
伸縮性スペーサーは、バッテリーカバー１がバッテリー３１に装着されたときにバッテリー３１の側面の隅３８と接触するように、設けられている。
【０１９１】
第２スペーサーを伸縮性スペーサーとすれば、異なるサイズのバッテリー３１に対して、バッテリーカバー１の装着が可能となる。また、装着前においては、バッテリー３１とバッテリーカバー１との間に隙間を生じさせることができるため、容易にバッテリーカバー１をバッテリー３１の周囲に取り付けることができる。その一方、取り付け後においては、バッテリーカバー１を収縮することができるため、バッテリーカバー１をバッテリーに密着および固定させることが容易にできる。さらには、伸縮性スペーサーの収縮性のため、バッテリーカバー１の材料面積を少なくすることが可能となる。
【０１９２】
なお、第８実施形態において、伸縮性スペーサーは、４つの第２スペーサーのすべてに採用してもよく、また、そのうち１つの第２スペーサーに対して採用してもよく、また、部分的に採用してもよい。
【０１９３】
＜第９実施形態＞
図１５に示されるように、第９実施形態のバッテリーカバー１では、例えば、連結部２３に伸縮部としての伸縮性連結部材５１を採用する。
【０１９４】
伸縮性連結部材５１は、上下方向に延びる側面視略矩形状に形成され、薄肉状に形成されている。
【０１９５】
伸縮性連結部材５１には、切込部５３が形成されている。
【０１９６】
切込部５３は、上下方向に互いに間隔を隔てて複数形成されており、各切込部５３は、上下方向に延び、伸縮性連結部材５１の厚み方向を貫通するように、形成されている。これら複数の切込部５３は、伸縮性連結部材５１の上下方向全体にわたるライン状（直線状）の切込ライン５２を形成している。切込ライン５２は、長手方向に間隔を隔てて、複数並列配置されている。なお、各切込ライン５２には、上下方向に互いに隣接する切込部５３を連結するジョイント部５４が形成されている。
【０１９７】
また、伸縮性連結部材５１の外側には、連結保護部材５５が設けられている。連結保護部材５５は、断熱性の弾性体であり、側面視略矩形状に形成されている。連結保護部材５５は、その上下方向長さおよび長手方向長さのそれぞれが、伸縮性連結部材５１の上下方向長さおよび長手方向長さのそれぞれと略同一となるように、形成されている。  
【０１９８】
連結部２３を伸縮性連結部材５１とすれば、異なるサイズのバッテリー３１に対して、バッテリーカバー１の装着が可能となる。すなわち、バッテリーカバー１を長手方向に伸長することができるので、装着前においては、バッテリー３１とバッテリーカバー１との間に隙間を生じさせることができるため、容易にバッテリーカバー１をバッテリー３１の周囲に取り付けることができる。その一方、取り付け後においては、バッテリーカバー１を収縮することができるため、バッテリーカバー１をバッテリー３１に密着および固定させることが容易にできる。さらには、伸縮性スペーサーの収縮性のため、バッテリーカバー１の材料面積を少なくすることが可能となる。
【０１９９】
また、連結保護部材５５を設けることにより、切り込み部５２からの空気の漏れを阻止することができ、バッテリーカバー１のシール性、断熱性を向上することができる。
【０２００】
なお、第９実施形態において、伸縮性連結部材５１は、４つの連結部（９、１０、１１、１２）のすべてに採用してもよく、また、そのうち１つの連結部に対して採用してもよく、また、部分的に採用してもよい。さらに、左壁５、右壁６、前壁７および後壁８の全面または部分的に採用してもよい。
【０２０１】
＜第１０実施形態および１１実施形態＞
図１６および図１７に示されるように、第１０実施形態および第１１実施形態のバッテリーカバー１では、例えば、係合部２１に、伸縮性係合部を採用する。
【０２０２】
第１０実施形態のバッテリーカバー１は、図１６に示されるように、伸縮性係合部として第１伸縮性係合部２１ａを備え、第１伸縮性係合部２１ａは、第１突部２４および第２突部２６が長手方向において長く形成されている。すなわち、第１突出部１７および第２突出部１９がそれぞれ第１スリット１８および第２スリット２０に差し込まれた際に、内側（バッテリーカバー１内部）から観察した場合、第１突部２４および第２突部２６の一部が露出するように形成されている。
【０２０３】
第１伸縮性係合部２１ａを備えれば、異なるサイズのバッテリー３１に対して、バッテリーカバー１の装着が可能となる。特に、装着前においては、第１伸縮性係合部２１ａの伸長により、バッテリー３１とバッテリーカバー１との間に隙間を生じさせることができるため、容易にバッテリーカバー１をバッテリー３１の周囲に取り付けることができる。
【０２０４】
第１１実施形態のバッテリーカバー１は、図１７に示されるように、伸縮性係合部として第２伸縮性係合部２１ｂを備え、第２伸縮性係合部２１ｂでは、第１頭部２５および第２頭部２７のそれぞれに、バネ部５６が長手方向に延びるように設けられている。バネ部５６は、弾性体から形成され、固定部５７と伸縮部５８とを一体的に備えている。固定部５７は、左肉厚部５ａにおいて、第１突出部１７および第２突出部１９の長手方向一方側に間隔を隔てるように、左肉厚部５ａの略中央部分に固定されている。伸縮部５８は、鋸刃状に形成されている。
【０２０５】
第２伸縮性係合部２１ｂを備えれば、異なるサイズのバッテリー３１に対して、バッテリーカバー１の装着が可能となる。特に、装着後においては、第２伸縮性係合部２１ｂに対して、バネ部５６によって長手方向一方側に向かう張力が働くため、すなわち、バッテリーカバー１の内周面を小さくなるように張力が働くため、バッテリーカバー１をバッテリー３１に確実に密着および固定させることができる。
【０２０６】
＜第１２実施形態＞
図１８に示されるように、第１２実施形態のバッテリーカバー１では、被係合部１３に融着部６４を採用し、係合部２１に被融着部６３を採用する。
【０２０７】
第１２実施形態では、バッテリーカバー１は、２つの部材（第１バッテリーカバー部品６１および第２バッテリーカバー部品６２）から構成されている。第１バッテリーカバー部品６１および第２バッテリーカバー部品６２における長手方向一方側端部は、被融着部６３が形成され、長手方向他方側端部は、融着部６４が形成されている。
【０２０８】
融着部６４は、上下方向に延びる側面視略矩形状に形成され、薄肉状に形成されている。融着部６４の表面は、熱などにより溶融し、被融着部６３と連結する材料から構成されている。
【０２０９】
被融着部６３は、上下方向に延びる側面視略矩形に形成され、薄肉状に形成されている。
【０２１０】
そして、第１バッテリーカバー部品６１の融着部６４の内側面（図１８では、紙面手前側）を、第２バッテリーカバー部品６２の被融着部６３の外側面（図１８では、紙面奥側）に融着し、かつ、第２バッテリーカバー部品６２の融着部６４の内側面を、第１バッテリーカバー部品６１の被融着部６３の外側面に融着することにより、バッテリーカバー１を製造することができる。
【０２１１】
なお、融着部６４および被融着部６３は、図２に示す第１実施形態に採用してもよい。その場合には、被係合部１３に代えて融着部６４を形成し、係合部２１に代えて被融着部６３を採用する。
【０２１２】
また、被融着部６３および融着部６４は、伸縮性部材から形成することもできる。伸縮性部材から形成すれば、第８実施態様と同様の作用効果が得られる。
【０２１３】
＜第１３実施形態＞
第１３実施形態のバッテリーカバー１では、図１９に示されるように、例えば、第１スペーサー３は、８つの第１スペーサー３（３ａ、３ｂ、３ｃ、３ｄ、３ｅ、３ｆ、３ｇ、３ｈ）から構成されている。
【０２１４】
すなわち、左壁５、左前連結部９、前壁７、右前連結部１１、右壁６、右後連結部１２、後壁８および左後連結部１０の内面の上端に、それぞれの第１スペーサーが互いに独立して設けられている。各第１スペーサー３（３ａ、３ｂ、３ｃ、３ｄ、３ｅ、３ｆ、３ｇ、３ｈ）の間には、切り込み６０が形成されている。
【０２１５】
第１スペーサー３を８つの第１スペーサー３から構成すれば、バッテリーカバー１にバッテリー３１を円滑に装着することが可能となる。
【０２１６】
＜第１４実施形態＞
第１４実施形態のバッテリーカバー１では、図示しないが、第１スペーサー３の内側面には、微粘着層が形成されている。微粘着層は、第１スペーサー３の内側面の全面にわたって形成されている。微粘着層は、バッテリー３１に接触すると貼着するが、わずかな力でバッテリー３１から離すことができる材料から形成されており、例えば、アクリル系ポリマーなどの材料から形成されている。
【０２１７】
この微粘着層を設ければ、第１スペーサー３とバッテリー３１との密封性が向上し、外部の空気の侵入および内部の空気の漏れを効果的に防止することができる。
【０２１８】
なお、図示しないが、第３スペーサー４の内側面にも微粘着層を形成することもできる。
【０２１９】
＜第１５実施形態＞
第１５実施形態のバッテリーカバー１では、図示しないが、左肉厚部５ａ、右肉厚部６ａ、前肉厚部７ａ、後肉厚部８ａ、第２左前スペーサー９ａ、第２左後スペーサー１０ａ、第２右前スペーサー１１ａ、および、第２右後スペーサー１２ａは、バッテリーカバー１の外側に向かって膨出することもできる。第１５実施形態のバッテリーカバー１も、第１実施形態と同様の作用効果が得られる。
【符号の説明】
【０２２０】
１  バッテリーカバー
２  側壁
３  第１スペーサー
５  左壁
６  右壁
７  前壁
８  後壁
９ａ  第２左前スペーサー
９ｄ、９ｅ  左前折り曲げ部
１０ａ  第２左後スペーサー
１０ｄ、１０ｅ  左後折り曲げ部
１１ａ  第２右前スペーサー
１１ｄ、１１ｅ  右前折り曲げ部
１２ａ  第２右後スペーサー
１２ｄ、１２ｅ  右後折り曲げ部
２８  折り畳み部
３１  バッテリー
３７  空間
３９  発泡層
４０  表皮
４１  開口部
４２  フラップ
４３  第１開口部
４４  第２開口部
【図１】
2014213678.tif 000003
【図２】
2014213678.tif 000004
【図３】
2014213678.tif 000005
【図４】
2014213678.tif 000006
【図５】
2014213678.tif 000007
【図６】
2014213678.tif 000008
【図７】
2014213678.tif 000009
【図８】
2014213678.tif 000010
【図９】
2014213678.tif 000011
【図１０】
2014213678.tif 000012
【図１１】
2014213678.tif 000013
【図１２】
2014213678.tif 000014
【図１３】
2014213678.tif 000015
【図１４】
2014213678.tif 000016
【図１５】
2014213678.tif 000017
【図１６】
2014213678.tif 000018
【図１７】
2014213678.tif 000019
【図１８】
2014213678.tif 000020
【図１９】
2014213678.tif 000021